(57)【要約】      （修正有）【課題】子供から大人まで顔の大きさに応じて耳掛け孔の長さが簡単に調整できるマスクを提供する。【解決手段】鼻および口を覆うマスク本体部１０と、マスク本体部から両側に延在させて幅広に形成してある耳掛け部２０とを備えるマスク１であって、耳掛け部には、耳掛け孔を形成するための切れ目部が設けてあると共に、ユーザの耳位置に応じて耳掛け孔の長さ調整のための複数の切れ目部ＣＵ−１、ＣＵ−２、ＣＵ−３が設けてあり、複数の切れ目部は、鼻側から耳側に向かって、破線状に配置してあり、切れ目部の間の接続部２１−１、２１−２をカットすることにより隣接する切れ目部同士を連結することで切れ目部の全長が変更され、耳掛け孔の長さ調整が可能である。【選択図】図１
0003229230.tif 000002
【実用新案登録請求の範囲】
【請求項１】
鼻および口を覆うマスク本体部と、前記マスク本体部から両側に延在させて幅広に形成してある耳掛け部とを備えてなるマスクであって、
前記耳掛け部には、耳掛け孔を形成するための切れ目部が設けてあると共に、ユーザの耳位置に応じて前記耳掛け孔の長さ調整のため複数の前記切れ目部が設けてあり、
前記複数の切れ目部は、鼻側から耳側に向かって、破線状に配置してあり、
前記切れ目部の間の接続部をカットすることにより隣接する前記切れ目部同士を連結することで前記切れ目部の全長が変更され、前記耳掛け孔の長さ調整が可能である、ことを特徴とするマスク。
【請求項２】
前記マスク本体部と前記耳掛け部とが同一の伸縮性素材で一体に形成された右側部分と、前記右側部分と対称的な形状および前記同一の伸縮性素材で一体に形成された左側部分とを含み、前記右側部分の前端部と前記左側部分の前端部とが接合部を設けて連結されている、ことを特徴とする請求項１に記載のマスク。
【請求項３】
前記耳掛け部には、不要となった部分を切り落とすための切取線が設けてある、ことを特徴とする請求項１または２に記載のマスク。
【請求項４】
前記マスク本体部と前記耳掛け部とは、縦および横の２方向にて伸縮自在な２ウェイ伸縮性素材で一体的に形成してある、ことを特徴とする請求項１から３のいずれに記載のマスク。
【請求項５】
前記マスク本体部の背部にはポケット部が設けてあり、前記ポケット部には前記マスク本体部の形状を保持するための形状維持補助部材が配置してある、ことを特徴とする請求項１から４のいずれに記載のマスク。
【考案の詳細な説明】
【技術分野】
【０００１】
本考案は、花粉やウイルスを防御するための常備品として需要が高くなっているマスクに関する。より詳細には、ユーザの使い勝ってが良くなるように、改良したマスクに関する。
【背景技術】
【０００２】
かつてのマスクはガーゼ生地を四角形にして複数枚重ね、その両端部に縫い付けにより通路部を設け、ここにゴム紐を通したものが一般的であった。しかし、近年にあっては、花粉症患者が増え、ウイルス感染患者の増加が大きな問題となり、マスクの使用者（ユーザ）が急増するのに伴ってマスクについて種々の観点から色々な提案がされている。
【０００３】
例えば、特許文献１で開示されるように、伸縮性の素材を用いて、ユーザの口および鼻を覆うマスク本体部の両側から延在する幅広の部分を設け、この部分に開口（耳掛け孔）を形成することによりユーザの耳に引っ掛けるようにしたマスクも広く提供されている。
【先行技術文献】
【特許文献】
【０００４】
【特許文献１】国際公開ＷＯ２０１１/０１６４６２号公報
【考案の概要】
【考案が解決しようとする課題】
【０００５】
しかし、特許文献１で開示のマスクは耳位置が異なるユーザに対応するため、例えば子供用をＳとして、Ｍ、Ｌ等の大きさが異なるマスクを準備することが必要となる。より詳細に説明すると、子供の顔は相対的に小さく、大人の顔は相対的に大きい。顔が大きくなると鼻先から耳位置までの長さが長くなるので、これに応じて耳掛け孔の長さが異なるマスクを設計することが必要となる。そして、このように耳掛け孔の長さが異なるマスクを製造することは設計および製造コストを上昇させる。
また、ユーザ側としても、家族構成に応じて耳掛け孔の長さが異なるマスクを購入することや、それぞれマスクの在庫を個別に管理することは面倒である。
【０００６】
また、一般にマスクの素材は薄いシート状であるため、ユーザの呼吸に応じてマスクの表面がベコベコと変形したり、顔に張り付いたりすることがあってユーザが不快に感じることがあった。
【０００７】
本考案の主な目的は、簡易な工夫でユーザにとって使い勝っての良いマスクを提供することである。
【課題を解決するための手段】
【０００８】
上記の目的は、鼻および口を覆うマスク本体部と、前記マスク本体部から両側に延在させて幅広に形成してある耳掛け部とを備えてなるマスクであって、前記耳掛け部には、耳掛け孔を形成するための切れ目部が設けてあると共に、ユーザの耳位置に応じて前記耳掛け孔の長さ調整のため複数の前記切れ目部が設けてあり、前記複数の切れ目部は、鼻側から耳側に向かって、破線状に配置してあり、前記切れ目部の間の接続部をカットすることにより隣接する前記切れ目部同士を連結することで前記切れ目部の全長が変更され、前記耳掛け孔の長さ調整が可能であることを特徴とするマスク、により達成される。
【０００９】
そして、前記マスク本体部と前記耳掛け部とが同一の伸縮性素材で一体に形成された右側部分と、前記右側部分と対称的な形状および前記同一の伸縮性素材で一体に形成された左側部分とを含み、前記右側部分の前端部と前記左側部分の前端部とが接合部を設けて連結されているものを採用するのが好ましい。
【００１０】
また、前記耳掛け部には、不要となった部分を切り落とすための切取線が設けておくのが望ましい。
【００１１】
そして、前記マスク本体部と前記耳掛け部とは、縦および横の２方向にて伸縮自在な２ウェイ素材で一体的に形成してあるものが好ましい。
【００１２】
また、前記マスク本体部の背部にはポケット部が設けてあり、前記ポケット部には前記マスク本体部の形状を保持するための形状維持補助部材が配置してあるものが更に好ましい。
【考案の効果】
【００１３】
本考案によれば、簡易な工夫で、ユーザにとって使い勝っての良いマスクを提供することができる。
【図面の簡単な説明】
【００１４】
【図１】本考案に係る一実施形態のマスクについて示した図である。
【図２】不要となった部分をカットするための切取線を設けた場合の本考案に係るマスクの耳掛け部について示した図である。
【図３】本考案に係るマスクを使用した際の様子を示している斜視図である。
【図４】本考案に係るマスクを広げて、背面側から見た斜視図である。
【考案を実施するための形態】
【００１５】
以下、図面を参照して本考案に係る一実施形態のマスクについて説明する。
図１に例示したマスク１は、ほぼ対称的に形成され左側部分と右側部分とが前端部（鼻側端部）に設けた接合部ＳＰで連結されている。図１は、左側部分ＬＳ側から見た図を示しているが、右側部分ＲＳは左側部分ＬＳの下に重なるようにして存在している。
左側部分ＬＳと右側部分ＲＳとを接合する形態を採用すると、顔に対応した立体型のマスクを容易に製造することができる。
【００１６】
マスク１は、少なくともユーザの口および鼻（両鼻腔）を覆うように設計されるマスク本体部１０と、このマスク本体部１０の後端（図１では右端）から延在し、幅広に形成してある耳掛け部２０とを含んで構成されている。
図１のマスク１は所定の通気性と共に伸縮性を備えたシート状の素材を用いて、マスク本体部１０と耳掛け部２０とが一体に形成してある。よって、図１で示すマスク１の場合はマスク本体部１０と耳掛け部２０との境界は明確ではない。このようにマスク本体部１０と耳掛け部２０とが一体であれば製造が容易であるので、製造コストを抑制することができる。ここで用いる素材としては、縦方向および横方向の２方向への伸縮可能な素材（２ウェイ伸縮性素材）、例えば水着、レオタードなどのスポーツ用品で採用される生地素材を採用することが好ましい。このような生地は洗濯して繰り返して使用できるので経済的でもある。図１のマスク１は、水着用の生地素材を用いて形成してあり、左側部分ＬＳのマスク本体部１０の前端部と右側部分ＲＳのマスク本体部１０の前端部とが上記のように接合部ＳＰで接合されている。ここで本例のマスク１の接合部ＳＰは縫製した縫合せ部としてあるが、採用する素材が熱融着可能な合成繊維を含む場合、加圧および加熱により溶融固着させた接合部としてもよい。
【００１７】
また、本マスク１の素材は生地に限らず、合成樹脂繊維を含んで形成され伸縮性を備えている不織布等を採用しもよく、この場合には上記接合部ＳＰは、加熱により溶着した溶着部、或いは接着剤により接着した接着部とすることができる。
【００１８】
更に、例えば図１において点線で示した仮想の境界ＤＬで区分して、マスク本体部１０と耳掛け部２０とを異なる素材を用いて、マスク１を製造するようにしてもよい。この場合には、耳掛け部２０側について、マスク本体部側よりも伸縮性のある素材を用いるのが好ましい。耳掛け部２０側に伸縮性の高い素材を採用することで、ユーザの顔の耳位置の相違（一般的に顔が大きくなると鼻先から耳位置までの長さが長くなる）への対応を容易に行える。
ただし、マスク１が異なる複数の素材で形成されると、扱う素材が増え、その素材を接合するための工数も増えて製造コストが増加してしまう。よって、図１で例示するように、マスク本体部１０と耳掛け部２０とが一体であるものが好ましい。
【００１９】
ここで、図１に示した本考案のマスク１の特徴的な構成について説明する。
マスク１の前記耳掛け部２０には、ユーザの耳位置の相違に応じて耳掛け孔の長さを調整するために複数の切れ目部（貫通しているスリット孔）が設けてある。本マスク１は、素材自体の伸縮だけでは対応が困難であるような耳位置の異なるユーザでも共通して使用できるような工夫がされている。マスク１の素材は伸縮性があるので、切れ目部（スリット孔）を広げることで開口が形成される。この開口が耳掛け孔となる。
上記切れ目部は、例えば従来のＳサイズ、Ｍサイズ、そしてＬサイズというように、ユーザの顔の耳位置を想定して設定されており、ユーザがこのマスク１を使用する際には自己に適した耳掛け孔の長さに対応する切れ目部を選択して使用することになる。
【００２０】
図１を参照して、例示したマスク１についてより具体的に説明する。
マスク１の耳掛け部２０には、複数の切れ目部が鼻側から耳側に向かって、破線状に配置してある。詳細には、耳掛け部２０には基本となる第１の切れ目部ＣＵ−１が設けてあり、この第１の切れ目部ＣＵ−１の終端（鼻から遠ざかる側の端）から延出して、第２の切れ目ＣＵ−２、第３の切れ目ＣＵ−３が破線状に配置されている。
【００２１】
上記第１の切れ目部ＣＵ−１は、例えば子供がマスク１を使用する場合を想定した位置であり、次の第２の切れ目ＣＵ−２は大人でも小顔であるユーザがマスク１を使用する場合を想定した位置であり、そして第３の切れ目ＣＵ−３は一般的な大人がマスク１を使用する場合を想定した位置である。
【００２２】
ユーザは、自己の耳位置（顔の大きさ）に対応する切れ目部を選択してマスク１を使用することができる。具体的には、例えば子供がマスク１を使用する場合は第１の切れ目部ＣＵ−１を選択する。そして、第１の切れ目部ＣＵ−１を広げて耳掛け孔とする。
大人としては小顔であるユーザは第２の切れ目ＣＵ−２を選択する。この場合には、第１の切れ目部ＣＵ−１と第２の切れ目ＣＵ−２との間にある接続部２１−１を自らカットして、切れ目部の全長を少し長く変更する。そして、第１の切れ目部ＣＵ−１と第２の切れ目部ＣＵ−２が連結されて長くなった切れ目部を広げて耳掛け孔とする。このように、第１の切れ目部ＣＵ−１と第２の切れ目ＣＵ−２とを連結して、終端の位置を後ろ側に移動させることにより、耳掛け孔の長さ調整することができる。
一般的な大人が使用する場合、第２の切れ目部ＣＵ−２と第３の切れ目ＣＵ−３との間にある接続部２１−２を更に自らカットして、第１の切れ目部ＣＵ−１から第３の切れ目ＣＵ−３までを連結して、終端の位置を最も後ろ側に移動させることで、耳掛け孔の長さを最長とすることができる。
【００２３】
図２は、不要となった部分をカットするように切取線ＣＬを設けたマスク１の耳掛け部２０の一部を拡大して示した図である。例えば子供が第１の切れ目部ＣＵ−１を選択してマスク１を使用する場合、後方の部分が余って垂れ下がる状態となるので、不要部分を切断除去してスッキリとさせることができる。
図２では、第１の切れ目部ＣＵ−１を選択したときの切取線ＣＬ−１、第２の切れ目部ＣＵ−２を選択したときの切取線ＣＬ−２を例示的に示している。切れ目部ＣＵの位置や数は必要に応じて切取線ＣＬを設ければよい。
なお、切取線ＣＬはマスク１の内側面（顔に接する面）に印刷しておくのが好ましい。
【００２４】
図３は、マスク１を使用した際の様子を示した斜視図であり、ユーザが自己の耳位置に応じて、適した切れ目部ＣＵを選択してマスク１を使用している。図３（ａ）は子供が第１の切れ目部ＣＵ−１を選択してマスク１を使用した場合である。この場合、切取線ＣＬ−１で素材がカットされて不要部分が除かれる。図３（ｂ）は大人が第３の切れ目部ＣＵ−３を選択してマスク１を使用した場合である。この場合、接続部２１−１および接続部２１−２がカットされて耳掛け孔の長さが最長に変更されている。
このように子供から大人まで、マスク１で対応できる。これにより、ユーザは異なるサイズのマスクを準備する必要がなくなる。よって、ユーザの使い勝ってのよいマスクとして提供できる。
【００２５】
そして、マスク製造の面から、従来にあっては異なる大きさの型紙を準備して、耳掛け孔の長さが異なるマスクを製造していた。しかし、本考案のマスク１は１つの型紙で１つのサイズのマスクを製造し、耳掛け部の適宜位置に切れ目部（スリット孔）を設けておくだけでよいので製造コストを大幅に抑制することができる。その結果、マスク１は販売価格を抑えてユーザに提供できる。よって、価格の面でも、ユーザに使い勝ってのよいマスクとなる。
【００２６】
以下、更にマスク１が備えていることが好ましい構造について説明する。
図４は、マスク１を広げて、背面側（顔に接する側）から見た様子を示した斜視図である。
マスク１のマスク本体部１０の背部側にはシート状の部材１５がマスク本体部１０の上下端のぞれぞれは縫い付け等されて固定されている。その左右は開口ＫＡが形成されており開放状態にあり、マスク本体部１０と部材１５との間はポケット部ＰＫとなっている。なお、上記シート状の部材１５としては、マスク１の素材と同様に、所定の通気性および伸縮性を備えた生地が採用されている。
【００２７】
上記のポケット部ＰＫには、前記マスク本体部の形状を保持するための形状維持補助部材としてパッド３０が配置されている。パッド３０は略お椀形状であり、婦人用の水着や衣類の型維持のために採用されているものを流用することできるが、マスク１用に大きさや厚みが適宜に調整される。そして、このパッド３０の素材についても、必要な通気性が確保されたものが採用されている。
【００２８】
図４で示すように、マスク本体部１０に形状を保持するためのパッド３０が配置してあれば、使用時にマスク本体部１０がベコベコと変形しない。また、ユーザの顔にマスク内面が張り付く不快な状況を防止できる。よって、ユーザにとって、更に使い勝ってのよいマスク１として提供できる。
【００２９】
以上説明した本考案に係るマスクによれば、必要に応じて切れ目部間の接続部をカットするだけで、ユーザは簡単に自己に適した長さの耳掛け孔として快適に使用することができる。そして、その切取線に沿ってカットすると不要な部分を除くことができる。
更に、マスク本体部にポケット部を設けて形状維持補助部材（パッド）を配置しておけば、マスクの外形を安定に保持し、顔表面への不快な張り付きも抑制できる。
【００３０】
以上本考案の好ましい一実施形態について詳述したが、本考案は係る特定の実施形態に限定されるものではなく、実用新案登録請求の範囲に記載された本考案の要旨の範囲内において、種々の変形・変更が可能である。
【符号の説明】
【００３１】
１                                    マスク
１０                                  マスク本体部
１５                                  シート状の部材
２０                                  耳掛け部
２１（２１−１、２１−２）            接続部
３０                                  パッド（形状維持補助部材）
ＬＳ                                  左側部分
ＲＳ                                  右側部分
ＳＰ                                  接合部
ＣＵ（ＣＵ−１、ＣＵ−２、ＣＵ-３）    切れ目部
ＣＬ（ＣＬ−１、ＣＬ−２）            切取線
ＤＬ                                  マスク本体部と耳掛け部との境界
ＰＫ                                  ポケット部
【図１】
0003229230.tif 000003
【図２】
0003229230.tif 000004
【図３】
0003229230.tif 000005
【図４】
0003229230.tif 000006